(57)【要約】【課題】アクセサリシューに対するアクセサリの接続向きが一つしかないため、接続に関する自由度が無い。【解決手段】撮影装置は、その筐体を構成する第一の筐体外面と、第一の筐体外面に設けられた第一のコネクタ部とを有する。周辺装置は、その筐体を構成する第二の筐体外面と、第二の筐体外面に設けられた第二のコネクタ部とを有する。第一のコネクタ部と第二のコネクタ部は、互いに、相反する二つの向きでリバーシブルに接続可能である。第一のコネクタ部は、その中心が、撮影装置の撮影レンズの光軸と直交する軸と第一の筐体外面との交点に位置する。【選択図】図１
2018097103.tif 000002
【特許請求の範囲】
【請求項１】
撮影装置と該撮影装置に接続可能な周辺装置とを備える撮影システムにおいて、
前記撮影装置は、
前記撮影装置の筐体を構成する第一の筐体外面と、
前記第一の筐体外面に設けられた第一のコネクタ部と、
を有し、
前記周辺装置は、
前記周辺装置の筐体を構成する第二の筐体外面と、
前記第二の筐体外面に設けられた第二のコネクタ部と、
を有し、
前記第一のコネクタ部と前記第二のコネクタ部は、
互いに、相反する二つの向きでリバーシブルに接続可能であり、
前記第一のコネクタ部は、
その中心が、前記撮影装置の撮影レンズの光軸と直交する軸と前記第一の筐体外面との交点に位置する、
撮影システム。
【請求項２】
前記第二のコネクタ部は、
その中心が前記第二の筐体外面の中心に位置するように設けられている、
請求項１に記載の撮影システム。
【請求項３】
前記撮影装置と前記周辺装置の少なくとも一方は、
操作部を有し、
前記第一のコネクタ部に対する前記第二のコネクタ部の接続向きに応じて前記操作部に割り当てられる機能が設定変更される、
請求項１又は請求項２に記載の撮影システム。
【請求項４】
前記周辺装置は、
被写体に対して閃光を発する閃光装置である、
請求項１から請求項３の何れか一項に記載の撮影システム。
【請求項５】
前記閃光装置は、
前記第一のコネクタ部に対する前記第二のコネクタ部の接続向きに応じて発光量に関する設定が変更される、
請求項４に記載の撮影システム。
【請求項６】
前記閃光装置は、
発光面より発せられる閃光の照射角を変更可能であり、
前記第一のコネクタ部に対する前記第二のコネクタ部の接続向きに応じて照射角が変更される、
請求項４又は請求項５に記載の撮影システム。
【請求項７】
前記閃光装置は、
照射角が狭い望遠用閃光と、前記望遠用閃光よりも射出角が広い広角用閃光を発することができ、
前記発光面が被写体と逆向きに向けられた状態では前記広角用閃光を発するように設定される、
請求項６に記載の撮影システム。
【請求項８】
前記周辺装置は、
バッテリを内蔵したバッテリグリップである、
請求項１から請求項３の何れか一項に記載の撮影システム。
【請求項９】
前記バッテリグリップは、
レリーズボタンを有しており、
前記撮影装置は、
前記レリーズボタンが前記撮影装置の前面に位置する向きで前記第一のコネクタ部と前記第二のコネクタ部とが接続されると、自分撮りモードに設定される、
請求項８に記載の撮影システム。
【請求項１０】
前記撮影装置は、
ＡＦ補助光の要否を判定し、
前記ＡＦ補助光が必要と判定されかつ前記自分撮りモードに設定されている場合には、該ＡＦ補助光の光量を基準光量よりも低下させる、
請求項９に記載の撮影システム。
【請求項１１】
前記第一のコネクタ部は、
前記撮影装置の筐体を構成する２以上の筐体外面の夫々に設けられており、
各前記筐体外面に設けられている第一のコネクタ部は、
その中心が、前記光軸と直交する軸と当該筐体外面との交点に位置する、
請求項１から請求項１０の何れか一項に記載の撮影システム。
【請求項１２】
前記第一のコネクタ部は、
少なくとも、前記撮影装置の筐体上面及び一側面に設けられている、
請求項１１に記載の撮影システム。
【請求項１３】
前記撮影装置は、
前記撮影装置の姿勢を検出する手段と、
検出された姿勢に応じて前記周辺装置の適正な位置への取り付けを報知する手段と、
を有する、
請求項１１又は請求項１２に記載の撮影システム。
【発明の詳細な説明】
【技術分野】
【０００１】
本発明は、撮影システムに関する。
【背景技術】
【０００２】
外付けフラッシュ等のアクセサリ（周辺装置）をカメラ等の撮影装置に接続して使用する撮影システムが知られている。この種の撮影システムの具体的構成例が特許文献１に記載されている。
【０００３】
特許文献１に記載の撮影システムは、カメラレンズに着脱可能なアクセサリシュー装置を備えている。アクセサリシュー装置に備えられたアクセサリシューにアクセサリを装着することにより、カメラとアクセサリとが接続されて、アクセサリの機能を利用できるようになる。
【先行技術文献】
【特許文献】
【０００４】
【特許文献１】特開２００８−１１２０１９号公報
【発明の概要】
【発明が解決しようとする課題】
【０００５】
しかし、特許文献１に記載の構成では、アクセサリシューに対するアクセサリの接続向きが一つしかないため、接続に関する自由度が無いという問題が指摘される。
【０００６】
本発明は上記の事情に鑑みてなされたものであり、その目的とするところは、撮影装置と周辺装置との接続に関する自由度が従来と比べて高い撮影システムを提供することである。
【課題を解決するための手段】
【０００７】
本発明の一実施形態に係る撮影システムは、撮影装置と該撮影装置に接続可能な周辺装置とを備えるシステムである。撮影装置は、その筐体を構成する第一の筐体外面と、第一の筐体外面に設けられた第一のコネクタ部とを有する。周辺装置は、その筐体を構成する第二の筐体外面と、第二の筐体外面に設けられた第二のコネクタ部とを有する。第一のコネクタ部と第二のコネクタ部は、互いに、相反する二つの向きでリバーシブルに接続可能である。第一のコネクタ部は、その中心が、撮影装置の撮影レンズの光軸と直交する軸と第一の筐体外面との交点に位置する。
【発明の効果】
【０００８】
本発明の一実施形態によれば、撮影装置と周辺装置との接続に関する自由度が従来と比べて高い撮影システムが提供される。
【図面の簡単な説明】
【０００９】
【図１】本発明の一実施形態に係る撮影システムの概略構成を示す図である。
【図２】本発明の一実施形態に係る撮影システムの構成を示すブロック図である。
【図３】本発明の別の一実施形態に係る撮影システムの構成を示すブロック図である。
【図４】本発明の更に別の一実施形態に係る撮影システムの概略構成を示す図である。
【図５】本発明の更に別の一実施形態に係る撮影システムの構成を示すブロック図である。
【図６】本発明の更に別の一実施形態に係る撮影システムにて実行されるフローチャートを示す図である。
【発明を実施するための形態】
【００１０】
以下、本発明の一実施形態に係る撮影システムについて図面を参照しながら説明する。
【００１１】
図１は、本発明の一実施形態に係る撮影システム１の概略構成を示す図である。図１に示されるように、撮影システム１は、撮影装置１０と、そのアクセサリである周辺装置２０を備えている。図１（ａ）は、撮影装置１０と周辺装置２０とが装着（接続）されていない状態を示し、図１（ｂ）〜図１（ｄ）は、撮影装置１０と周辺装置２０とが装着（接続）されている状態を示す。
【００１２】
本実施形態において、撮影装置１０は、デジタル一眼レフカメラである。なお、撮影装置１０は、ミラーレス一眼カメラ、コンパクトデジタルカメラ、ビデオカメラ、カムコーダ、デスクトップＰＣ、ノートＰＣ、タブレット端末、ＰＨＳ（Personal Handy phone System）、スマートフォン、フィーチャフォン、ゲーム機等の、撮影機能を持つ他の形態の装置に置き換えてもよい。また、周辺装置２０は、外部フラッシュ（閃光装置）である。以下、説明の便宜上、周辺装置２０を「外部フラッシュ２０」と記す。
【００１３】
撮影装置１０及び外部フラッシュ２０は、装置同士の通信の結果に応じて電力供給や電力受給を行うことができるものであり、例示的には、ＵＳＢ（Universal Serial Bus）−ＰＤ（Power Delivery）に対応している。
【００１４】
図２は、本発明の一実施形態に係る撮影システム１の構成を示すブロック図である。図２に示されるように、撮影装置１０は、ＣＰＵ（Central Processing Unit）１００、電源回路１１０、バッテリ１２０、ＵＳＢコネクタ１３０、メモリ１４０及びＵＩ（User Interface）１５０を備えている。
【００１５】
ＵＩ１５０には、レリーズボタン１５０ａや撮影モードスイッチ１５０ｂ、背面モニタ１５０ｃ、電源スイッチ（不図示）等が含まれる。ユーザにより電源スイッチが操作されると、電源回路１１０から撮影装置１０内の各種回路に電源ラインを通じて電力供給が行われる。なお、電源回路１１０への電力供給元は、着脱可能なバッテリ１２０、商用電源、外部フラッシュ２０である。撮影装置１０は、基本的にバッテリ１２０から供給される電力で動作するが、商用電源や外部フラッシュ２０に接続された時には、その接続先から供給される電力での動作に手動又は自動で切り替わる。
【００１６】
ＣＰＵ１００は、電源回路１１０から電力を受給すると、メモリ１４０にアクセスして制御プログラムを読み出してワークエリアにロードし、ロードされた制御プログラムを実行することにより、撮影装置１０全体の制御を統括的に行う。ＣＰＵ１００は、例えば、レリーズボタン１５０ａが押されると、ＡＥ制御及びＡＦ制御に基づいて適正な露出及びピントでの撮像処理を実行し、撮影画像データを生成して記録する。
【００１７】
図２に示されるように、外部フラッシュ２０は、ＣＰＵ２００、電源回路２１０、ＵＳＢコネクタ２２０及びＵＩ２３０を備えている。また、外部フラッシュ２０は、バッテリを搭載した構成であってもよい。
【００１８】
ＵＩ２３０には、電源スイッチや発光モードを設定するための発光モードスイッチ、表示部等が含まれる。ＵＩ２３０は、外部フラッシュ２０の背面側（図１中、不可視）に設けられている。ユーザにより電源スイッチが操作されると、電源回路２１０から外部フラッシュ２０内の各種回路に電源ラインを通じて電力供給が行われる。
【００１９】
電源回路２１０への電力供給元は、撮影装置１０である。具体的には、撮影装置１０のＵＳＢコネクタ１３０（メス）及び外部フラッシュ２０のＵＳＢコネクタ２２０（オス）は、ＵＳＢ−ＰＤ対応のコネクタであり、例えば、ＵＳＢ Ｔｙｐｅ−Ｃコネクタである。そのため、外部フラッシュ２０のＣＰＵ２００は、撮影装置１０との接続時（ＵＳＢコネクタ１３０とＵＳＢコネクタ２２０との接続時）、撮影装置１０に電力供給要求を発行して撮影装置１０から電力を受給する。また、ＣＰＵ２００は、撮影装置１０との接続時、撮影装置１０からの電力供給要求に応じて撮影装置１０に電力を供給することもできる。なお、電源回路２１０への電力供給元は、不図示のバッテリであってもよい。
【００２０】
図１（ｂ）〜図１（ｄ）に示されるように、ＵＳＢコネクタ１３０とＵＳＢコネクタ２２０とが接続されることにより、撮影装置１０と外部フラッシュ２０とが機械的に連結しかつ電気的に接続することに加えて、撮影装置１０の筐体上面（撮影装置１０の筐体を構成する筐体外面の１つ）１２と外部フラッシュ２０の筐体下面（外部フラッシュ２０の筐体を構成する筐体外面の１つ）２２とが接触して、外部フラッシュ２０が筐体上面１２上で支えられた状態となる。
【００２１】
図１（ｂ）は、発光面２４が撮影装置１０の前方に向くように外部フラッシュ２０を撮影装置１０に接続した状態を示す。この場合、撮影者は、発光面２４より発せられる閃光（フラッシュ光）によって照明された被写体を撮影（以下、説明の便宜上「通常撮影」と記す。）することができる。以下、説明の便宜上、図１（ｂ）の状態を「通常撮影状態」と記す。
【００２２】
ＵＳＢコネクタ１３０及びＵＳＢコネクタ２２０は、ＵＳＢ Ｔｙｐｅ−Ｃコネクタであるため、相反する二つの向きでリバーシブルに接続可能となっている。そのため、外部フラッシュ２０は、図１（ｃ）に示されるように、発光面２４が撮影装置１０の後方に向くように撮影装置１０に接続することもできる。すなわち、本実施形態では、ＵＳＢコネクタ１３０とＵＳＢコネクタ２２０との接続向きが一つに限らないため、ＵＳＢコネクタ１３０とＵＳＢコネクタ２２０との接続作業の自由度が高い。
【００２３】
図１（ｃ）の例では、発光面２４は、被写体側を向いていない。そのため、被写体は、発光面２４より発せられたフラッシュ光によって直接照明されることはないが、天井や壁等で反射されたフラッシュ光によって間接的に照明される。従って、撮影者は、被写体にフラッシュ光を間接的に当てて撮影するバウンス撮影を行うことができる。以下、説明の便宜上、図１（ｃ）の状態を「バウンス撮影状態」と記す。
【００２４】
外部フラッシュ２０は、もともと、バウンス撮影を可能とするため、発光面２４の向きを最大で１８０°変えることができる構成となっている。具体的には、外部フラッシュ２０は、固定筐体２０ａ、可動筐体２０ｂ及び回動機構２６を備えている。固定筐体２０ａは、ＵＳＢコネクタ２２０を保持している。また、固定筐体２０ａの背面側には、ＵＩ２３０が設けられている。また、可動筐体２０ｂは、発光面２４を保持している。回動機構２６によって固定筐体２０ａに対して可動筐体２０ｂが回動することにより、発光面２４の向きが最大で１８０°変わる。
【００２５】
従って、撮影者は、例えば、通常撮影状態となる接続向きで外部フラッシュ２０を撮影装置１０に接続した場合、回動機構２６によって固定筐体２０ａに対して可動筐体２０ｂを回動させることにより、（ＵＩ２３０の位置を撮影装置１０の背面側に保ったまま）通常撮影状態からバウンス撮影状態に変えることができる。
【００２６】
また、撮影者は、例えば、バウンス撮影状態となる接続向きで外部フラッシュ２０を撮影装置１０に接続した場合、回動機構２６によって固定筐体２０ａに対して可動筐体２０ｂを回動させることにより、（ＵＩ２３０の位置を撮影装置１０の前面側に保ったまま）バウンス撮影状態から通常撮影状態に変えることができる。
【００２７】
すなわち、撮影者は、ＵＳＢコネクタ１３０とＵＳＢコネクタ２２０との接続向きを、通常撮影を行うかバウンス撮影を行うかによって変える必要がない。
【００２８】
図１（ａ）に示されるように、ＵＳＢコネクタ１３０は、その中心が撮影装置１０の筐体上面１２の中心に位置するように設けられている。なお、筐体上面１２の中心は、撮影装置１０のボディに着脱可能に取り付けられた撮影レンズ１４の光軸ＡＸと直交する軸（より詳細には、撮影装置１０内のイメージセンサの撮像面と撮影レンズ１４の光軸ＡＸとが交わる点Ｏから鉛直方向上方に延ばした正中線Ｌ）と、筐体上面１２と、が交わる点Ｃと一致する。言い換えると、ＵＳＢコネクタ１３０は、その中心が、光軸ＡＸと直交する正中線Ｌと筐体上面１２とが交わる点に位置するように設けられている。また、ＵＳＢコネクタ２２０は、その中心が外部フラッシュ２０の筐体下面２２の中心に位置するように設けられている。
【００２９】
このような位置にＵＳＢコネクタ１３０及びＵＳＢコネクタ２２０を設けることにより、外部フラッシュ２０は、通常撮影状態となる接続向きで撮影装置１０に接続された場合であっても、バウンス撮影状態となる接続向きで撮影装置１０に接続された場合であっても、撮影装置１０（筐体上面１２）上において正中線Ｌを中心とした位置に配置されることになる。すなわち、外部フラッシュ２０が何れの撮影状態となる接続向きで撮影装置１０に接続された場合にも、撮影装置１０上における外部フラッシュ２０の位置がほぼ変わらない。そのため、撮影者は、外部フラッシュ２０を何れの撮影状態となる接続向きで撮影装置１０に接続した場合にも、同様の発光条件で被写体を撮影することができる。
【００３０】
なお、少なくとも、ＵＳＢコネクタ１３０（又はＵＳＢコネクタ２２０）の中心が筐体上面１２（又は筐体下面２２）の中心（若しくは光軸ＡＸと直交する軸上）に位置する構成であれば、外部フラッシュ２０が何れの撮影状態となる接続向きで撮影装置１０に接続された場合にも、撮影装置１０上における外部フラッシュ２０の位置は、大きくは変わらない。従って、この場合においても、撮影者は、外部フラッシュ２０を何れの撮影状態となる接続向きで撮影装置１０に接続した場合にも、同様の発光条件で被写体を撮影することができる。
【００３１】
また、外部フラッシュ２０が回動機構２６によって発光面２４の向きを最大で９０°しか変えられない構成となっている場合を考える。この場合、従来の構成（通常撮影状態となる接続向きでしか接続できない構成）では、撮影装置１０の後方に位置する壁等にフラッシュ光を当てて（言い換えると、撮影装置１０の後方にフラッシュ光を照射して）バウンス撮影を行う、といったことができない。これに対し、本実施形態の構成では、図１（ｄ）に示されるように、外部フラッシュ２０をバウンス撮影状態となる接続向きで撮影装置１０に接続することにより、当該壁等にフラッシュ光を当ててバウンス撮影を行う、といったことが可能となる。また、回動機構２６による回動範囲が９０°に抑えられているため、外部フラッシュ２０のメカ構成（主に回動機構２６周り）の簡略化が達成される。
【００３２】
撮影装置１０のＣＰＵ１００及び外部フラッシュ２０のＣＰＵ２００は、ＵＳＢコネクタ１３０とＵＳＢコネクタ２２０との接続向きを検知することができる。ＣＰＵ１００又はＣＰＵ２００は、例えば、検知した接続向きに応じて発光量に関する設定を変更するように構成されてもよい。発光量に関する設定の項目としては、例えば、フラッシュ光の発光量自体や、ＵＩ１５０やＵＩ２３０によって選択可能な発光量の範囲が挙げられる。
【００３３】
撮影装置１０のＣＰＵ１００又は外部フラッシュ２０のＣＰＵ２００は、例えば、ＵＳＢコネクタ１３０とＵＳＢコネクタ２２０との接続向きに応じて、発光モードスイッチに割り当てられる機能（例えば発光モードスイッチによって設定可能な発光量や選択可能な発光量の範囲等）を設定変更してもよい。
【００３４】
また、発光量に関する設定は、撮影装置１０に接続される外部フラッシュ２０の仕様（例えば回動機構２６による可動範囲）に応じて適宜変更されてもよい。例示的には、発光面２４の向きを１８０°変更可能な外部フラッシュ２０を撮影装置１０に接続した場合と、発光面２４の向きを９０°変更可能な外部フラッシュ２０を撮影装置１０に接続した場合とで、フラッシュ光の発光量やその選択可能範囲がそれぞれ異なるものに設定される。
【００３５】
また、外部フラッシュ２０がズーム機構を搭載した構成となっている場合を考える。この場合、外部フラッシュ２０は、例えば、照射角が狭い望遠用フラッシュ光と、望遠用フラッシュ光よりも射出角が広い広角用フラッシュ光とを選択的に発することができる。撮影装置１０のＣＰＵ１００又は外部フラッシュ２０のＣＰＵ２００は、外部フラッシュ２０がバウンス撮影状態となる接続向きで撮影装置１０に接続されたり、回動機構２６の回動によって通常撮影状態からバウンス撮影状態に変えられたりしたとき、より自然な光で被写体が照明されるように、外部フラッシュ２０によるフラッシュ光を広角用フラッシュ光に自動的に切り替える。
【００３６】
図３（ａ）及び図３（ｂ）は、別のアクセサリであるバッテリグリップ２０’を例示する図である。図３（ｂ）に示されるように、バッテリグリップ２０’は、レリーズボタン２３０ａが一つの面に設けられている。
【００３７】
バッテリグリップ２０’も外部フラッシュ２０と同じく、ＵＳＢ−ＰＤ対応のコネクタであり、かつＵＳＢ Ｔｙｐｅ−ＣコネクタであるＵＳＢコネクタ２２０’を備えている。そのため、バッテリグリップ２０’（ＵＳＢコネクタ２２０’）は、撮影装置１０（ＵＳＢコネクタ１３０）に対し、相反する二つの向きでリバーシブルに接続可能となっている。
【００３８】
具体的には、バッテリグリップ２０’は、レリーズボタン２３０ａが設けられている面が撮影装置１０の背面側に位置する接続向き（以下、図３（ａ）に示される接続向きであり、説明の便宜上「通常接続向き」と記す。）と、レリーズボタン２３０ａが設けられている面が撮影装置１０の前面側に位置する接続向き（以下、図３（ｂ）に示される接続向きであり、説明の便宜上「特殊接続向き」と記す。）で撮影装置１０に接続可能となっている。すなわち、この場合も、ＵＳＢコネクタ１３０とＵＳＢコネクタ２２０’との接続向きが一つに限らないため、ＵＳＢコネクタ１３０とＵＳＢコネクタ２２０’との接続作業の自由度が高い。
【００３９】
ＵＳＢコネクタ２２０’は、その中心がバッテリグリップ２０’の筐体上面２２’の中心に位置するように設けられている。ＵＳＢコネクタ１３０は、上述したように、その中心が点Ｃ（筐体上面１２の中心）に（更には光軸ＡＸと直交する軸上に）位置するように設けられている。このような位置にＵＳＢコネクタ１３０及びＵＳＢコネクタ２２０’を設けることにより、バッテリグリップ２０’は、通常接続向きで撮影装置１０に接続された場合であっても、特殊接続向きで撮影装置１０に接続された場合であっても、撮影装置１０の下方において正中線Ｌを中心とした位置に配置されることになる。すなわち、バッテリグリップ２０’が何れの接続向きで撮影装置１０に接続された場合にも、撮影装置１０に対する位置が変わらない。そのため、撮影者は、バッテリグリップ２０’を何れの接続向きで撮影装置１０に接続した場合にも、撮影装置１０及びバッテリグリップ２０’を違和感なくホールドすることができる。
【００４０】
撮影装置１０の後方側（又は前方側）から見ると、バッテリグリップ２０’は、撮影装置１０に通常接続向きで接続された場合と、撮影装置１０に特殊接続向きで接続された場合とで左右が反転する。バッテリグリップ２０’の片側にグリップ形状が形成されている場合を考える。この場合、例示的には、通常接続向きで接続されたときには、グリップ形状が右に位置し、特殊接続向きで接続されたときには、グリップ形状が左に位置する。前者の場合、右利きの撮影者がホールドするのに最適であり、後者の場合、左利きの撮影者がホールドするのに最適である。すなわち、本実施形態の構成によれば、左右それぞれの利き手に最適なバッテリグリップの提供も可能となる。
【００４１】
撮影装置１０のＣＰＵ１００は、バッテリグリップ２０’が特殊接続向きで接続されたことを検知したとき、撮影モードを自分撮りモードに自動的に設定してもよい。特殊接続向きでは、上述したように、レリーズボタン２３０ａが撮影装置１０の前面側に位置する。そのため、撮影装置１０の前方で構える撮影者にとっては、レリーズ操作がやり易い。
【００４２】
なお、自分撮りモードでは、例えば、自分撮り用の通知機能が有効になる。自分撮り用の通知機能とは、例えば、顔認識等によって被写体（自分の顔）が撮影レンズ１４の画角内に収まっているか否かを検知し、収まっていると検知された場合に、撮影装置１０の前面に配置されたＬＥＤを点灯させることにより、撮影装置１０の前方で構える被写体（自分）に通知する機能である。
【００４３】
暗い撮影環境では被写体にピントを合わせることが難しい。そのため、撮影装置１０には、ＡＦ補助光の発光機能が搭載されている。撮影装置１０のＣＰＵ１００は、自分撮りモードの設定時においてＡＦ補助光の要否を判定し、ＡＦ補助光が必要と判定された場合には、被写体（自分）の眼を保護するため、ＡＦ補助光の光量を基準光量よりも低下させる。
【００４４】
従来、外部フラッシュ等の周辺装置は、高い性能を発揮できるように周辺装置側に機構が追加されており、大型でかつ高価格になりやすかった。本実施形態では、従来のアクセサリシューに代えて、電力授受が可能でかつ小型な汎用インタフェースであるＵＳＢ Ｔｙｐｅ−Ｃコネクタが周辺装置接続用のインタフェースとして採用されている。
【００４５】
ＵＳＢ Ｔｙｐｅ−Ｃコネクタを採用することにより、上述したように、撮影装置１０から外部フラッシュ等の周辺装置に電力を供給することが可能となる。そのため、周辺装置の構成を簡素化し、周辺装置を小型化させると共に低コストで製造することができる。また、ＵＳＢ Ｔｙｐｅ−Ｃコネクタ自体が従来のアクセサリシューと比べて小型であるため、配置に関する制約が少ない。そのため、周辺装置接続用のインタフェースとして複数のＵＳＢ Ｔｙｐｅ−Ｃコネクタを撮影装置に配置することが可能である。
【００４６】
図４は、本発明の更に別の一実施形態に係る撮影システム１’の概略構成を示す図である。図４（ａ）は、撮影装置１０’と外部フラッシュ２０とを接続する前の状態を示す。図４（ｂ）及び図４（ｃ）は、撮影装置１０’と外部フラッシュ２０とを接続した状態を示す。また、図５は、撮影システム１’の構成を示すブロック図である。撮影システム１’が有する撮影装置１０’には、周辺装置接続用のインタフェースとして複数のＵＳＢ Ｔｙｐｅ−Ｃコネクタが設けられている。
【００４７】
図４（ａ）に示されるように、撮影装置１０’の筐体上面１２ＡにはＵＳＢコネクタ１３０Ａが設けられている。ＵＳＢコネクタ１３０Ａは、その中心が、光軸ＡＸと直交する軸（より詳細には、撮影装置１０’内のイメージセンサの撮像面と光軸ＡＸとが交わる点Ｏから鉛直方向上方に延ばした正中線Ｌｙ）と筐体上面１２Ａと、が交わる点に位置するように設けられている。
【００４８】
図４（ａ）に示されるように、撮影装置１０’の筐体左側面（撮影装置１０の筐体を構成する筐体外面の１つ）１２ＢにはＵＳＢコネクタ１３０Ｂが設けられている。ＵＳＢコネクタ１３０Ｂは、その中心が、光軸ＡＸと直交する軸（より詳細には、撮影装置１０’内のイメージセンサの撮像面と光軸ＡＸとが交わる点Ｏから水平方向左方に延ばした正中線Ｌｘ）と筐体左側面１２Ｂと、が交わる点に位置するように設けられている。
【００４９】
図４（ａ）に示されるように、撮影装置１０’の筐体下面１２ＣにはＵＳＢコネクタ１３０Ｃが設けられている。ＵＳＢコネクタ１３０Ｃは、その中心が、光軸ＡＸと直交する軸（より詳細には、撮影装置１０’内のイメージセンサの撮像面と光軸ＡＸとが交わる点Ｏから鉛直方向下方に延ばした正中線Ｌｙ）と筐体下面１２Ｃと、が交わる点に位置するように設けられている。
【００５０】
図４（ａ）に示されるように、撮影装置１０’の筐体右側面（撮影装置１０の筐体を構成する筐体外面の１つ）１２ＤにはＵＳＢコネクタ１３０Ｄが設けられている。ＵＳＢコネクタ１３０Ｄは、その中心が、光軸ＡＸと直交する軸（より詳細には、撮影装置１０’内のイメージセンサの撮像面と光軸ＡＸとが交わる点Ｏから水平方向右方に延ばした正中線Ｌｘ）と筐体右側面１２Ｄと、が交わる点に位置するように設けられている。
【００５１】
なお、本例では、ＵＳＢコネクタがそれぞれ異なる４つの面に１つずつ（合計４つ）設けられているが、２つの面（例えば筐体上面１２Ａと筐体左側面１２Ｂ）だけに設けられていてもよい。
【００５２】
図５に示されるように、撮影装置１０’は、図２に例示される撮影装置１０に対し、加速度センサ１６０及び音声処理プロセッサ１７０を更に備えている。
【００５３】
加速度センサ１６０は、２軸又は３軸の加速度センサであり、撮影装置１０’の姿勢検出に用いられる。ＣＰＵ１００は、加速度センサ１６０の出力信号に基づいて撮影装置１０’の姿勢（例えば、縦位置姿勢や横位置姿勢、各位置での水平状態等）を検出する。なお、撮影装置１０’の筐体上面１２Ａ又は筐体下面１２Ｃが上側を向く姿勢が横位置姿勢（図４（ｂ）参照）であり、撮影装置１０’の筐体左側面１２Ｂ又は筐体右側面１２Ｄが上側を向く姿勢が縦位置姿勢（図４（ｃ）参照）である。
【００５４】
音声処理プロセッサ１７０は、マイクより入力された微小信号を音声データに変換し、また、音声データをスピーカから出力させる機能を有する。
【００５５】
図６は、撮影システム１’（より詳細には、撮影装置１０のＣＰＵ１００）にて実行される、外部フラッシュ２０の接続状態をユーザに通知する処理のフローチャートを示す図である。
【００５６】
［図６のＳ１１（撮影モードの判定）］
本処理ステップＳ１１では、撮影装置１０’の現在の撮影モードが静止画撮影モードであるか否かが判定される。現在の撮影モードが静止画撮影モードでないと判定された場合（Ｓ１１：ＮＯ）、本フローチャートが終了する。
【００５７】
［図６のＳ１２（姿勢の判定）］
本処理ステップＳ１２は、処理ステップＳ１１（撮影モードの判定）にて現在の撮影モードが静止画撮影モードであると判定された場合（Ｓ１１：ＹＥＳ）に実行される。本処理ステップＳ１２では、加速度センサ１６０の出力信号に基づいて撮影装置１０’の現在の姿勢が横位置姿勢であるか縦位置姿勢であるかが判定される。
【００５８】
［図６のＳ１３（外部フラッシュの接続判定）］
本処理ステップＳ１３は、処理ステップＳ１２（姿勢の判定）にて現在の姿勢が横位置姿勢であると判定された場合（Ｓ１２：横位置姿勢）に実行される。本処理ステップＳ１３では、外部フラッシュ２０がＵＳＢコネクタ１３０Ａ又は１３０Ｃに接続されているか否かが判定される。
【００５９】
本処理ステップＳ１３にて外部フラッシュ２０がＵＳＢコネクタ１３０Ａ又は１３０Ｃに接続されていると判定された場合（Ｓ１３：ＹＥＳ）、本フローチャートが終了する。ここで、図４（ｂ）は、外部フラッシュ２０がＵＳＢコネクタ１３０Ａに接続されている状態を示している。図４（ｂ）に示されるように、撮影装置１０’が横位置姿勢であるときに外部フラッシュ２０がＵＳＢコネクタ１３０Ａに接続されていると、ＵＳＢコネクタ１３０Ａの中心が光軸ＡＸの真上に位置する。そのため、外部フラッシュ２０が撮影レンズ１４のほぼ真上に位置することになる。これにより、外部フラッシュ２０による閃光が撮影に最適な配光特性となる。
【００６０】
［図６のＳ１４（外部フラッシュの接続判定）］
本処理ステップＳ１４は、処理ステップＳ１３にて外部フラッシュ２０がＵＳＢコネクタ１３０Ａ又は１３０Ｃに接続されていないと判定された場合（Ｓ１３：ＮＯ）に実行される。本処理ステップＳ１４では、外部フラッシュ２０がＵＳＢコネクタ１３０Ｂ又は１３０Ｄに接続されているか否かが判定される。外部フラッシュ２０がＵＳＢコネクタ１３０Ｂ又は１３０Ｄに接続されていないと判定された場合（Ｓ１４：ＮＯ）、外部フラッシュ２０が何れのＵＳＢコネクタにも接続されていないことから、本フローチャートが終了する。
【００６１】
［図６のＳ１５（外部フラッシュの取付推奨の表示）］
本処理ステップＳ１５は、処理ステップＳ１４にて外部フラッシュ２０がＵＳＢコネクタ１３０Ｂ又は１３０Ｄに接続されていると判定された場合（Ｓ１４：ＹＥＳ）に実行される。この場合、外部フラッシュ２０が横位置姿勢である撮影レンズ１４の左方又は右方に位置するため、外部フラッシュ２０による閃光が撮影に最適な配光特性とならない。そこで、本処理ステップＳ１５では、ＵＳＢコネクタ１３０Ａ又は１３０Ｃへの外部フラッシュ２０の取り付けを推奨するメッセージが背面モニタ１５０ｃに表示される。次いで、本フローチャートは、処理ステップＳ１２（姿勢の判定）に戻る。なお、メッセージ表示に代えて、外部フラッシュ２０の取り付けを推奨する音声が再生されてもよい。
【００６２】
［図６のＳ１６（外部フラッシュの接続判定）］
本処理ステップＳ１６は、処理ステップＳ１２（姿勢の判定）にて現在の姿勢が縦位置姿勢であると判定された場合（Ｓ１２：縦位置姿勢）に実行される。本処理ステップＳ１６では、外部フラッシュ２０がＵＳＢコネクタ１３０Ｂ又は１３０Ｄに接続されているか否かが判定される。
【００６３】
本処理ステップＳ１６にて外部フラッシュ２０がＵＳＢコネクタ１３０Ｂ又は１３０Ｄに接続されていると判定された場合（Ｓ１６：ＹＥＳ）、本フローチャートが終了する。ここで、図４（ｃ）は、外部フラッシュ２０がＵＳＢコネクタ１３０Ｂに接続されている状態を示している。図４（ｃ）に示されるように、撮影装置１０’が縦位置姿勢であるときに外部フラッシュ２０がＵＳＢコネクタ１３０Ｂに接続されていると、ＵＳＢコネクタ１３０Ｂの中心が光軸ＡＸの真上に位置する。そのため、外部フラッシュ２０が撮影レンズ１４のほぼ真上に位置することになる。これにより、外部フラッシュ２０による閃光が撮影に最適な配光特性となる。
【００６４】
［図６のＳ１７（外部フラッシュの接続判定）］
本処理ステップＳ１７は、処理ステップＳ１６にて外部フラッシュ２０がＵＳＢコネクタ１３０Ｂ又は１３０Ｄに接続されていないと判定された場合（Ｓ１６：ＮＯ）に実行される。本処理ステップＳ１７では、外部フラッシュ２０がＵＳＢコネクタ１３０Ａ又は１３０Ｃに接続されているか否かが判定される。外部フラッシュ２０がＵＳＢコネクタ１３０Ａ又は１３０Ｃに接続されていないと判定された場合（Ｓ１７：ＮＯ）、外部フラッシュ２０が何れのコネクタにも接続されていないことから、本フローチャートが終了する。
【００６５】
［図６のＳ１８（外部フラッシュの取付推奨の表示）］
本処理ステップＳ１８は、処理ステップＳ１７にて外部フラッシュ２０がＵＳＢコネクタ１３０Ａ又は１３０Ｃに接続されていると判定された場合（Ｓ１７：ＹＥＳ）に実行される。この場合、外部フラッシュ２０が縦位置姿勢である撮影レンズ１４の左方又は右方に位置するため、外部フラッシュ２０による閃光が撮影に最適な配光特性とならない。そこで、本処理ステップＳ１８では、ＵＳＢコネクタ１３０Ｂ又は１３０Ｄへの外部フラッシュ２０の取り付けを推奨するメッセージが背面モニタ１５０ｃに表示される。次いで、本フローチャートは、処理ステップＳ１２（姿勢の判定）に戻る。
【００６６】
このように、図６のフローチャートに示される処理によれば、撮影装置１０’の現在の姿勢に対して外部フラッシュ２０が適正な位置（外部フラッシュ２０による閃光が撮影に最適な配光特性となる位置）に取り付けられていない場合、外部フラッシュ２０を適正な位置に取り付け直すことを推奨するメッセージが背面モニタ１５０ｃに表示される。ユーザはメッセージに従うことにより、撮影装置１０’の姿勢に合った最適な配光特性を持つ閃光で撮影を行うことができる。
【００６７】
本例において周辺装置がステレオ対応の外部マイクである場合を考える。この場合、例えば、撮影装置１０’が横位置姿勢であるときに外部マイクがＵＳＢコネクタ１３０Ａに接続されていると、ＵＳＢコネクタ１３０Ａの中心が光軸ＡＸの真上に位置する。そのため、外部マイクが撮影レンズ１４のほぼ真上に位置することになる。また、例えば、撮影装置１０’が縦位置姿勢であるときに外部マイクがＵＳＢコネクタ１３０Ｂに接続されていると、ＵＳＢコネクタ１３０Ｂの中心が光軸ＡＸの真上に位置する。この場合も、外部マイクが撮影レンズ１４のほぼ真上に位置することになる。そのため、何れの場合も、光軸ＡＸを基準として左方から外部マイクに伝播する音は、左方からの音として収録され、光軸ＡＸを基準として右方から外部マイクに伝播する音は、右方からの音として収録される。ユーザは、メッセージに従って外部マイクを適正なＵＳＢコネクタに取り付けて動画撮影を行うことにより、撮影装置１０’の姿勢に合った最適なステレオ感の動画を得ることができる。
【００６８】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本願の実施形態に含まれる。
【００６９】
上記の実施形態では、撮影装置側に設けられているＵＳＢコネクタがメス構造となっており、周辺装置側に設けられているＵＳＢコネクタがオス構造となっているが、別の実施形態では、撮影装置側に設けられているＵＳＢコネクタがオス構造となっており、周辺装置側に設けられているＵＳＢコネクタがメス構造となっていてもよい。
【００７０】
上記の実施形態では、アクセサリの例示として外部フラッシュ２０、バッテリグリップ２０’及び外部マイクを挙げたが、別のアクセサリとしては、例えば、ＧＰＳユニットや外付けファインダ、撮影レンズ１４の先端へ装着するフラッシュ（ＬＥＤを環状に配置したもの）等が挙げられる。
【符号の説明】
【００７１】
１  撮影システム
１０  撮影装置
１２  筐体上面
１４  撮影レンズ
２０  外部フラッシュ
２０’  バッテリグリップ
２２，２２’  筐体下面
２４  発光面
２６  回動機構
１００  ＣＰＵ
１１０  電源回路
１２０  バッテリ
１３０  ＵＳＢコネクタ
１４０  メモリ
１５０  ＵＩ
１５０ａ  レリーズボタン
１５０ｂ  撮影モードスイッチ
１５０ｃ  背面モニタ
２００  ＣＰＵ
２１０  電源回路
２２０，２２０’  ＵＳＢコネクタ
２３０  ＵＩ
２３０ａ  レリーズボタン
【図１】
2018097103.tif 000003
【図２】
2018097103.tif 000004
【図３】
2018097103.tif 000005
【図４】
2018097103.tif 000006
【図５】
2018097103.tif 000007
【図６】
2018097103.tif 000008